(57)【特許請求の範囲】
【請求項１】
圧縮機及び熱源側熱交換器を備えた熱源機、この熱源機を制御する熱源機コントローラ、絞り装置及び利用側熱交換器を備えた室内機、並びに、この室内機を制御する室内機コントローラを備えた空気調和機と、
前記空気調和機と伝送線を介して接続され前記空気調和機の動作を制御する遠隔操作装置と、
前記空気調和機の配管長、又は前記熱源機と前記室内機との上下関係を示す設定条件情報が入力され、前記設定条件情報を前記遠隔操作装置へ出力する入力手段と、
前記空気調和機及び前記遠隔操作装置が設置された現地から公衆回線を介して隔てられた位置に設けられ、前記遠隔操作装置に前記公衆回線を介して接続された遠隔集中管理装置とを備え、
前記遠隔集中管理装置は、前記遠隔操作装置から受信した前記設定条件情報に基づいて前記空気調和機が省エネルギー運転となるように前記空気調和機の制御パラメータを前記配管長又は前記上下関係に従って前記熱源機の高圧側圧力が低下する値に決定する制御パラメータ決定手段、及び決定した制御パラメータを前記公衆回線を介して前記遠隔操作装置に伝送する遠隔操作伝送手段を備え、
前記遠隔操作装置は、前記遠隔集中管理装置から送信された制御パラメータを前記公衆回線を介して受信し、受信した制御パラメータを前記伝送線により接続された空気調和機に設定することを特徴とする空気調和機の制御システム。
【請求項２】
熱源機、この熱源機を制御する熱源機コントローラ、室内機、及びこの室内機を制御する室内機コントローラを備えた複数の空気調和機、並びに前記空気調和機と伝送線を介して接続され前記空気調和機の動作を制御する複数の遠隔操作装置、を備えた制御システムを公衆回線を介して遠隔管理する遠隔集中管理装置であって、
前記空気調和機の配管長、又は前記熱源機と前記室内機との上下関係を示す設定条件情報を受信するインタフェース手段と、
このインタフェース手段が受信した前記設定条件情報に基づいて前記空気調和機が省エネルギー運転となるように前記空気調和機の制御パラメータを前記配管長又は前記上下関係に従って前記熱源機の高圧側圧力が低下する値に決定し、決定した制御パラメータを前記遠隔操作装置を介して前記空気調和機へ送信する制御パラメータ決定手段と、を備えたことを特徴とする遠隔集中管理装置。
【請求項３】
熱源機、この熱源機を制御する熱源機コントローラ、室内機、及びこの室内機を制御する室内機コントローラを備えた空気調和機、前記空気調和機の動作を制御する遠隔操作装置、並びにこの遠隔操作装置と接続された遠隔集中管理装置、を備えた制御システムの制御方法において、
前記遠隔操作装置に接続された入力手段が前記空気調和機の配管長、又は前記熱源機と前記室内機との上下関係を示す設定条件情報の入力を受け付けるステップと、
前記遠隔操作装置が回線を介して前記遠隔集中管理装置へ、前記設定条件情報を送信するステップと、
前記遠隔集中管理装置が、前記設定条件情報に基づいて前記空気調和機が省エネルギー運転となるように前記空気調和機の制御パラメータを前記配管長又は前記上下関係に従って前記熱源機の高圧側圧力が低下する値に決定し、前記回線を介して決定した制御パラメータを前記遠隔操作装置へ返送するステップと、
前記空気調和機が前記遠隔操作装置から前記制御パラメータを受信し、受信した制御パラメータで前記熱源機コントローラの制御パラメータ記憶手段の内容を書き換えるステップと、
を備えた制御システムの制御方法。
【発明の詳細な説明】
【０００１】
【発明の属する技術分野】
本発明は、空気調和装置の制御に関するものであり、特に空気調和装置の設置後に設置条件に応じて運転制御パラメータを最適化し、省エネ化を図るための技術に関するものである。
【０００２】
【従来の技術】
空気調和装置は、設置される場所の温度や、設置される状態によって、その使用すべき特性が変化するが、一般には、ある程度の使用環境を特定した上で、その範囲内であれば、どこでも所定以上の性能・信頼性を発揮できるように制御アルゴリズムを構築し、製造時に埋め込んでいる。
しかし、実際に使用した場合に種々の問題が発生し、制御アルゴリズムの設定を変更しなければならない場合がある。
その方法としては、例えば特開平１０−１２２６３１号公報には、作業者が室外ユニットのコントローラパネルを見ながら、呼出ボタン、第１および第２設定ボタンを所定の手順で操作し、室内ユニットの号機と運転制御パラメータの種類との指定を行い、第１設定ボタンと第２設定ボタンを押して設定値を変更し、この設定値を各室内ユニットに送信することで、フィルタ清掃サインを出す時間間隔を変更したりする方法が開示されている。
【０００３】
また、特開２００１−８５４７５号公報には、制御基板の製造時にＲＯＭ内に圧縮機および送風機を動作制御するための制御パラメータを記録させて運転し、共振が生じた場合には、入力インタフェースに外部機器を接続し、外部機器からＥＥＰＲＯＭに代替パラメータを設定し、この代替パラメータで圧縮機等の動作制御を行う方法が開示されている。
【０００４】
【発明が解決しようとする課題】
しかし、従来の空気調和装置では、問題が発生した場合に、それに対処するため、使用者が問題があるパラメータを設定し直すというものでしかなく、他のパラメータへの影響をも考えて、トータル的に再設定をするというはできず、必ずしも使用環境に対して最適なものとはなっていなかった。
【０００５】
特に、最近では、快適性を確保した状態での省エネの要求が高まっており、例えば、特許第３０７８２８０号公報に示されるように、除湿ロータと顕熱交換ロータを備え、換気空気における取り込み空気を除湿することで冷凍ショーケース負荷を軽減し、省エネを図るという方法はとられているが、この省エネのための設定も、設置される場所の温度や設置される状態によって色々と変わるにもかかわらず、必ずしも最適なものにはなっておらず、十分な省エネ効果が図られているとは言えない。
【０００６】
この発明は、上述の課題を解決するためになされたものであり、設置される場所や使用環境に応じて、最適なパラメータ設定を簡単に行うことができ、その使用環境に最適な動作を行い、かつ省エネ効果を十分に図ることができる空気調和装置の制御システム、及び制御方法を提供することを目的としている。
【０００７】
【課題を解決するための手段】
この発明における空気調和装置の制御システムは、圧縮機及び熱源側熱交換器を備えた熱源機、この熱源機を制御する熱源機コントローラ、絞り装置及び利用側熱交換器を備えた室内機、並びに、この室内機を制御する室内機コントローラを備えた空気調和機と、空気調和機と伝送線を介して接続され空気調和機の動作を制御する遠隔操作装置と、空気調和機の配管長、又は熱源機と室内機との上下関係を示す設定条件情報が入力され、設定条件情報を遠隔操作装置へ出力する入力手段と、空気調和機及び遠隔操作装置が設置された現地から公衆回線を介して隔てられた位置に設けられ、遠隔操作装置に公衆回線を介して接続された遠隔集中管理装置とを備え、遠隔集中管理装置は、遠隔操作装置から受信した設定条件情報に基づいて空気調和機が省エネルギー運転となるように制御パラメータを前記配管長又は前記上下関係に従って前記熱源機の高圧側圧力が低下する値に決定する制御パラメータ決定手段、及び決定した制御パラメータを公衆回線を介して遠隔操作装置に伝送する遠隔操作伝送手段を備え、遠隔操作装置は、遠隔集中管理装置から送信された制御パラメータを公衆回線を介して受信し、受信した制御パラメータを伝送線により接続された空気調和機に設定することを特徴とするものである。
【０００８】
また、この発明の遠隔集中管理装置は、熱源機、この熱源機を制御する熱源機コントローラ、室内機、及びこの室内機を制御する室内機コントローラを備えた複数の空気調和機、並びに空気調和機と伝送線を介して接続され空気調和機の動作を制御する複数の遠隔操作装置、を備えた制御システムを公衆回線を介して遠隔管理する遠隔集中管理装置であって、空気調和機の配管長、又は熱源機と室内機との上下関係を示す設定条件情報を受信するインタフェース手段と、このインタフェース手段が受信した設定条件情報に基づいて空気調和機が省エネルギー運転となるように空気調和機の制御パラメータを前記配管長又は前記上下関係に従って前記熱源機の高圧側圧力が低下する値に決定し、決定した制御パラメータを遠隔操作装置を介して空気調和機へ送信する制御パラメータ決定手段と、を備えたものである。
【０００９】
また、この発明の制御システムの制御方法は、熱源機、この熱源機を制御する熱源機コントローラ、室内機、及びこの室内機を制御する室内機コントローラを備えた空気調和機、空気調和機の動作を制御する遠隔操作装置、並びに遠隔操作装置と接続された遠隔集中管理装置、を備えた制御システムの制御方法において、遠隔操作装置に接続された入力手段が空気調和機の配管長、又は熱源機と室内機との上下関係を示す設定条件情報の入力を受け付けるステップと、遠隔操作装置が回線を介して遠隔集中管理装置へ、設定条件情報を送信するステップと、遠隔集中管理装置が、設定条件情報に基づいて空気調和機が省エネルギー運転となるように空気調和機の制御パラメータを前記配管長又は前記上下関係に従って前記熱源機の高圧側圧力が低下する値に決定し、回線を介して決定した制御パラメータを遠隔操作装置へ返送するステップと、空気調和機が遠隔操作装置から制御パラメータを受信し、受信した制御パラメータで熱源機コントローラの制御パラメータ記憶手段の内容を書き換えるステップと、を備えたものである。
【００１０】
【発明の実施の形態】
実施の形態１．
図１は、実施の形態１における空気調和装置の冷媒回路の構成図である。
図１中、空気調和装置の冷媒回路は、圧縮機１、四方弁２、熱源側熱交換器３、熱源側熱交換器送風ファン４、圧縮機出力高圧圧力検出装置５、圧縮機入力低圧圧力検出装置６を有する熱源機７と、膨張弁１００、室内側熱交換器１０１、室内側熱交換器送風ファン１０２を有する室内機１０３と、熱源機５と室内機１０３とを接続する第１の配管２０１、第２の配管２０２とで主に構成されている。
【００１１】
次に、この空気調和装置の運転を制御するための各制御機器の接続構成について、図２の制御システムの構成図に基づいて説明する。
図２中、この空気調和装置の制御システムは、主に熱源機コントローラ５０と、室内機コントローラ１５０と、遠隔操作装置３００と、遠隔集中管理装置４００とが接続することによって構成されている。なお、熱源機コントローラ５０と、室内機コントローラ１５０と、遠隔操作装置３００とは、伝送線５００で接続され、遠隔操作装置３００と遠隔集中管理装置４００とは、公衆回線接続装置（モデム）５０１及び公衆回線５０２を介して接続されている。
【００１２】
また、熱源機コントローラ５０は、熱源機制御手段５１、熱源機センサ入力手段５２、熱源機アクチュエータ出力手段５３、熱源機伝送手段５４、制御パラメータ記憶手段（不揮発性メモリ）５５、パラメータ書換手段５６を有している。室内機コントローラ１５０は、室内機制御手段１５１、室内機センサ入力手段１５２、室内機アクチュエータ出力手段１５３、室内機伝送手段１５４、制御パラメータ記憶手段（不揮発性メモリ）１５５、パラメータ書換手段１５６を有している。遠隔操作装置３００は、遠隔操作制御手段３０１、遠隔操作伝送手段３０２、Ｉ／Ｆ（インターフェース）手段３０３、制御パラメータ記憶手段（不揮発性メモリ）３０４、パラメータ書換手段３０５を有し、さらに、Ｉ／Ｆ手段３０３を介して、モデム５０１や、入力手段３０６、表示手段３０７と接続している。遠隔集中管理装置４００は、遠隔集中管理制御手段４０１、Ｉ／Ｆ手段４０２、制御パラメータ記憶手段（不揮発性メモリ）４０３、パラメータ書換手段４０４、遠方情報判定手段４０５、パラメータ選択肢Ｄ／Ｂ（データベース）４０６を有している。なお、遠隔集中管理制御手段４０１、遠方情報判定手段４０５、パラメータ選択肢Ｄ／Ｂ４０６とで、制御パラメータ決定手段が主に構成されている。
【００１３】
次に、空気調和装置の制御パラメータを変更する場合に、図２に示す制御システムでどのような処理が行われるかにつき、図３のフローチャートに基づいて説明する。
まず、使用者が入力手段３０１より、遠隔操作装置３００に設定条件情報を入力する（ステップ(以下、「Ｓ」とする)１）。
遠隔操作装置３００では、この設定条件情報をＩ／Ｆ手段３０３で受け、公衆回線５０２を介して遠隔集中管理装置４００に送信する（Ｓ２）。
遠隔集中管理装置４００では、送信された設定条件情報をＩ／Ｆ手段４０２で受け、遠隔集中管理制御手段４０１に送り、遠隔集中管理制御手段４０１では、
パラメータ選択肢Ｄ／Ｂ４０６、及び遠方情報判定手段４０５を用いて最適な
制御パラメータを決定する（Ｓ３）。
【００１４】
次に、遠隔集中管理制御手段４０１は、制御パラメータ決定の処理の終了を判定し（Ｓ４）、終了しなければＳ１以降を再度実行する。
また、Ｓ４で終了と判定した場合には、遠隔集中管理制御手段４０１は、決定した制御パラメータを対象空気調和装置の識別情報（詳細記載せず）と関連付けて制御パラメータ記憶手段４０３の内容を書き換え（Ｓ５）、さらに、制御パラメータをＩ／Ｆ手段４０２から、モデム５０１、公衆回線５０２を介して遠隔操作装置３００に送信する（Ｓ６）。
遠隔操作装置３００では、Ｉ／Ｆ手段３０３で制御パラメータを受け、表示手段３０７に設定条件情報と制御パラメータとを表示する（Ｓ７）。
また、遠隔操作制御手段３０１は、制御パラメータをパラメータ書換手段３０５を用いて、制御パラメータ記憶手段３０４上の内容を、送られた制御パラメータに書き換える（Ｓ８）。
【００１５】
また、遠隔操作装置３００では、遠隔操作伝送手段３０２が伝送線５００を介して、熱源機コントローラ５０および室内機コントローラ１５０に制御パラメータを送信する（Ｓ９）。
熱源機コントローラ５０および室内機コントローラ１５０では、パラメータ書換手段５６及びパラメータ書換手段１５６を用いて、制御パラメータ記憶手段５５および１５５の内容を、送られた自分の制御パラメータに書き換える（Ｓ１０）。
なお、これにより、熱源機７及び室内機１０３は、書き換えられた制御パラメータに基づき動作する制御プログラムによって動作制御されることになる。
【００１６】
図３では、遠隔操作装置３００がすでに設置され、動作制御がなされた状態で、制御パラメータを変更する場合について示したが、例えば、故障等で遠隔操作装置自体を交換してしまう場合がある。
このような交換等により、遠隔操作装置３００の制御パラメータ記憶手段３０４の内容が初期値になった場合に、既に設定した制御パラメータを遠隔操作装置３００に反映させる方法について、図４のフローチャートに基づいて説明する。
【００１７】
まず、遠隔操作装置３００で、遠隔操作制御手段３０１は制御パラメータ記憶手段３０４に記憶されている制御パラメータが初期値か否かを判定し（Ｓ１１）、初期値と判定した場合には、公衆回線５０２を介して、遠隔集中管理装置４００の制御パラメータ記憶手段４０３に記憶された制御パラメータを転送する命令を発し、遠隔集中管理装置４００から送信された制御パラメータが初期値であるか否かを判定する（Ｓ１２）。
なお、Ｓ１１で、初期値でない場合には、そのまま通常の動作に移行する。
【００１８】
Ｓ１２で、転送された制御パラメータが初期値でない場合には、表示手段３０７に転送された制御パラメータを表示し、使用者が、その制御パラメータを使用するか否かの入力を待つ（Ｓ１３）。
Ｓ１３で、使用者が入力手段３０６より遠隔集中管理装置４００の制御パラメータをそのまま使用すると入力した場合には、パラメータ書換手段３０５を用いて、制御パラメータ記憶手段３０４の内容を送信された制御パラメータに書き換え（Ｓ１４）、さらに、この制御パラメータを熱源機コントローラ５０、及び室内機コントローラ１５０に送信し、それぞれで、制御パラメータ記憶手段５５および１５５の内容を、送信された自分の制御パラメータに書き換える（Ｓ１５）。また、Ｓ１２で遠隔集中管理装置４００の制御パラメータが初期値であった場合、及びＳ１３で、使用者が遠隔集中管理装置４００の制御パラメータを使用しないと入力した場合には、図３に示す制御パラメータの変更処理に移行し、最適な制御パラメータを生成する。
【００１９】
図３に示したフローチャートは、既に空気調和装置が動作を開始した後のものであるが、空気調和装置の機器構成の変換、例えば、熱源機、室内機の交換・追加作業が行なわれ、既に記憶された制御パラメータでは十分な性能を発揮することができない状態になっている場合が考えられ、また、制御パラメータの送信時にエラーが発生し、各制御機器間での整合性がとれていないという状況の発生が考えられる。
このような状況に対処するため、この制御システムでは、定期的に、特に電源投入時には、制御パラメータの妥当性のチェックを行なっている。
このチェック動作につき、図５のフローチャートに基づいて説明する。
【００２０】
まず、遠隔操作装置３００の電源が投入されたかどうかを判定する（Ｓ２１）。Ｓ２１で電源が投入されていると判定された場合には、遠隔集中管理装置４００の制御パラメータ記憶手段４０３に記憶されている制御パラメータを公衆回線５０２を介して遠隔操作装置３００に送信する（Ｓ２２）。
次に、遠隔操作装置３００では、遠隔集中管理装置４００から送信された制御パラメータと、遠隔操作装置３００の制御パラメータ記憶手段３０４に記憶されている制御パラメータとを比較し、一致しているか否かを判定する（Ｓ２３）。
なお、Ｓ２３で、一致していないと判定された場合には、遠隔操作装置３００の制御パラメータ記憶手段３０４に、送信された制御パラメータを使用するか否かを表示手段３０７に表示し、使用者の情報入力を待つ（Ｓ２４）。
Ｓ２４で、使用者が送信された制御パラメータを使用するとの情報を入力手段３０６から入力した場合には、遠隔操作装置３００の制御パラメータ記憶手段３０４の内容を、転送された制御パラメータに書き換え（Ｓ２５）、さらに、この制御パラメータを熱源機コントローラ５０、及び室内機コントローラ１５０に送信し、それそれで、制御パラメータ記憶手段５５および１５５の内容を、送信された自分の制御パラメータに書き換える（Ｓ３０）。また、Ｓ２４で、使用者が送信された制御パラメータを使用しないとの情報を入力した場合には、図３に示す制御パラメータの変更処理に移行し、最適な制御パラメータを生成する（Ｓ３１）。
【００２１】
また、Ｓ２１で遠隔操作装置３００が電源投入されていないと判定された場合、あるいは、Ｓ２３で制御パラメータが一致しないと判定された場合には、次に、熱源機コントローラ５０および室内機コントローラ１５０の電源が投入されたかどうかを判定する（Ｓ２６）。
Ｓ２６で、電源が投入されたと判定された場合には、熱源機コントローラ５０の制御パラメータ記憶手段５５、或いは、室内機コントローラ１５０の制御パラメータ記憶手段１５５に記憶された制御パラメータを遠隔操作装置３００へ送信する。
遠隔操作装置３００では、送信された制御パラメータと、制御パラメータ記憶手段３０４に記憶された制御パラメータとを比較し、一致するか否かの判定を行なう（Ｓ２８）。
【００２２】
Ｓ２８で、一致しないと判定した場合には、遠隔操作装置３００の制御パラメータを使用するか否かを表示手段３０７に表示して、使用者の情報入力を待ち（Ｓ２９）、使用者が使用するとの情報を入力手段３０６から入力した場合には、遠隔操作装置３００の制御パラメータを熱源機コントローラ５０、或いは室内機コントローラ１５０に送信し、制御パラメータ記憶手段５５、或いは制御パラメータ記憶手段１５５の内容を書き換える（Ｓ３０）。
また、Ｓ２９で使用しないという情報を入力した場合には、Ｓ３１で最適な制御パラメータを生成する。
Ｓ２８で制御パラメータが一致する場合には、処理を終了する。
【００２３】
なお、図３のＳ１〜Ｓ３では、使用者が入力手段３０６から入力した設定条件情報に従って、最適な制御パラメータを決定しているが、この制御パラメータの決定アルゴリズムについての一例を、図６のフローチャートに基づいて説明する。
まず、表示手段３０７に、水平配置の冷媒配管長を問う画面が表示され、使用者は入力手段３０６を用いて、冷媒配管長（ｌ１）を入力し、この情報が遠隔集中管理装置４００に送信される（Ｓ４１）。
遠隔集中管理装置４００の遠隔集中管理制御手段４０１では、
ΔＰ１＝（第１の所定長−ｌ１）／第１の所定値        …式（１）
として、ΔＰ１を求める（Ｓ４２）。なお、第１の所定長は、想定される最大の配管長、例えば５０ｍ、第１の所定値は、１０００程度とすることが考えられる。このようにすれば、第１の所定長に対して１０ｍ短い毎に０．０１Ｍｐａ冷房時の目標高圧を低下させることができる。
【００２４】
次に、表示手段３０７に、垂直方向の延長配管長、及び熱源機が室内機に対して上にあるか下にあるかを問う画面が表示され、使用者は入力手段３０６を用いて、延長配管長（ｌ２）、上下関係を入力し、この情報が遠隔集中管理装置４００に送信される（Ｓ４３）。
遠隔集中管理装置４００の遠隔集中管理制御手段４０１では、まず、熱源機が室内機に対して上にあるか下にあるかを判定し（Ｓ４４）、熱源機が上にあると判定されれば、ｌ２＝０と読み替える（Ｓ４５）。
Ｓ４５でｌ２＝０とした後、或いは、Ｓ４４で熱源機が下にあると判定された場合には、
ΔＰ２＝（第２の所定長−ｌ２）／第２の所定値        …式（２）
として、ΔＰ２を求める（Ｓ４６）。なお、第２の所定長は、想定される最大の配管長、例えば５０ｍ、第２の所定値を１００程度とすることが考えられる。このようにすれば、第２の所定長に対して１０ｍ短い毎に０．１Ｍｐａ冷房時の目標高圧を低下させることができる。
【００２５】
次に、表示手段３０７に、熱源機の送風機風量をアップさせるかを問う画面が表示され、使用者は入力手段３０６を用いて、アップさせるか否かを入力し、この情報が遠隔集中管理装置４００に送信される（Ｓ４７）。
Ｓ４７で、アップすると入力された場合には、ΔＰ３＝所定値（＞０）とし（Ｓ４８）、アップしないと入力された場合には、ΔＰ３＝０とし、（Ｓ４９）、ΔＰ１、ΔＰ２、ΔＰ３を用いて、
冷房目標高圧＝元値−ΔＰ１−ΔＰ２−ΔＰ３            …式（３）
暖房目標低圧＝元値＋ΔＰ３                            …式（４）
が計算され、冷房目標高圧、暖房目標低圧の最適な制御パラメータが設定される（Ｓ５０）。なお、ΔＰ３は、設計段階で、送風機風切音等を考慮し、設定する必要がある。
【００２６】
次に、表示手段３０７に、室内環境負荷としてショーケースのような低温機器があるかどうかを問う画面が表示され、使用者は入力手段３０６を用いて、低温機器があるか否かを入力し、この情報が遠隔集中管理装置４００に送信される（Ｓ５１）。
Ｓ５１で、低温機器が存在すると入力された場合には、遠隔集中管理制御手段４０１で、冷房目標低圧を許容できる最低の値であるｍｉｎ．所定値とし（Ｓ５２）、さらに、サーモｏｆｆ時の除湿に関し、それを実施する設定をＯＮとする（Ｓ５３）。なお、空気調和装置と低温機器では、空気調和装置のほうが効率の良い運転が可能であるため、低温機器の仕事量を減らすことが省エネ制御としては好ましい。従って、空気調和装置の目標低圧をｍｉｎ．所定値にしておけば、運転時に空気と熱交換器との温度差が大きくなり、空気中の湿度をより多く取ることができるので、低温機器の水分凝縮に使う仕事量を小さくすることができ、総合的には省エネを図ることができる。
【００２７】
また、Ｓ５１で、低温機器が存在しない入力された場合には、冷房運転時に想定される室内環境の顕熱比を入力する画面が表示され、使用者は入力手段３０６を用いて、顕熱比を入力し、この情報が遠隔集中管理装置４００に送信される（Ｓ５４）。
次に、この入力された顕熱比より、
ΔＰ４＝顕熱比／第３の所定値                …式（５）
として、ΔＰ４が計算され（Ｓ５５）、
冷房目標低圧＝元値＋ΔＰ４                  …式（６）
が計算されて、冷房目標低圧の最適な制御パラメータが設定される（Ｓ５６）。
なお、Ｓ５４で、顕熱比を直接入力するのではなく、例えば、その空間に存在する熱源（ＯＡ機器等）の種類と数を入力させ、パラメータ選択肢Ｄ／Ｂ４０６の情報を元に、顕熱比を計算させるようにしてもよい。
【００２８】
次に、室内機の送風機風量をアップしても良いかどうか（騒音値およびドラフト感・快適性が許容されるか）を入力する画面が表示され、使用者は入力手段３０６を用いて、アップするか否かを入力し、この情報が遠隔集中管理装置４００に送信される（Ｓ５７）。
Ｓ５７でアップさせるとの入力があった場合には、遠隔集中管理制御手段４０１で、室内機送風機風量アップに関して、それを実施する設定をＯＮとする（Ｓ５８）。
【００２９】
Ｓ５３、Ｓ５７、Ｓ５８が実行された後に、表示手段３０７に、空気調和装置が設置される場所が、日本海側か、内陸か、太平洋側かを問う画面が表示され、使用者は入力手段３０６を用いて、その中の１つを選択し、この情報が遠隔集中管理装置４００に送信される（Ｓ５９）。
遠隔集中管理装置４０１では、Ｓ５９で送られた情報が日本海側の環境であれば、デフロスト運転の周期を所定の「短」設定（デフロスト周期が短い）とし（Ｓ６０）、内陸の環境であれば、デフロスト運転の周期を所定の「中」設定（デフロスト周期は標準）とし（Ｓ６１）、太平洋側の環境であれば、デフロスト運転の周期を所定の「長」設定（デフロスト周期が長い）とし（Ｓ６２）、本制御を終了する。
なお、このように日本海側、内陸、太平洋側でデフロスト運転を変えるのは、日本海側では、暖房運転時に霜がつきやすく、デフロスト運転を頻度よく実施することで効率的な暖房運転が得られ、太平洋側では、温度が低くても、実際の霜付量は比較的少ないので、デフロスト運転を極力避けることで効率的な暖房運転が得られるからである。
ここでは、特に３つの区域分けとしたが、例えば、県名を入力し、その県毎にデフロスト運転の周期を設定するようにしてもよい。
【００３０】
このように、この実施の形態では、使用環境によって制御パラメータを変えることができるので、実使用環境に対応した最適／省エネ運転が実現できる。
また、地域等の自動判断では判別の困難な条件に対しても、適切な省エネ制御への対応ができる。
また、予め選択肢をいくつか持たせているので、不適切なパラメータへの変更を抑制することができ、人為的な設定において判断を容易にすることができる。
また、遠隔集中管理装置で制御パラメータを作成するので、判定Ｓ／Ｗの一元管理でき、パージョンｕｐも容易である。
また、遠隔集中管理装置で制御パラメータを一括に記憶・管理するので、個々の変更状態を一元管理できると共に、現地に行かなくても確認ができ、また現物が破損した場合も情報が残り、復旧が可能となる。さらに、熱源機および室内機のコントローラ交換の場合などに遠隔操作装置の記憶内容などの現地情報のみでも制御パラメータの復旧が可能となる。
また、遠隔集中管理装置と遠隔操作装置の間でも制御パラメータの整合チェックを実施するので、正確な制御パラメータでの動作を保証することができる。
また、水平および垂直の冷媒配管長データに基づき制御パラメータを調整するので、最長時にあわせて設定された初期値に対し、現地に適合した省エネ制御を実現できる。
また、計算機室等顕熱比が高いとわかっている場合では湿度をとる必要がないので、それに応じた制御パラメータに変更し、現地に適合した省エネ制御を実現できる。
また、室内環境として送風機によるドラフト感が問題ないことがわかっておれば、風量増加による能力ｕｐにより初期状態に対して運転効率を向上できる。
また、室内環境負荷として、ショーケースなどの低温機器があることが判っておれば、空気調和装置の効率は低下するものの総合的な省エネを実現することができる。
【００３１】
参考例．
図７は、実施の形態２における空気調和装置の冷媒回路の構成図であり、図８は、実施の形態２における空気調和装置の制御システムの構成図である。なお、図７及び図８中、図１及び図２に記載された構成と同一の構成、及び相当する構成には同一の符号を付し、説明を省略する。
図７中、熱源機７には、外気温度検出手段８、外気湿度検出手段９、熱源側熱交換器配管温度検知手段１０が新たに付加されている。また、室内機１０３には、ドレンポンプ１０４、吸込み空気温度検出手段１０５、吹出し空気温度検出手段１０６、室内側熱交換器配管温度検出手段１０７が新たに付加されている。
また、図８中、熱源機コントローラ５０には、情報判定手段５７が新たに付加され、室内機コントローラ１５０には、情報判定手段１５７が新たに付加されている。
【００３２】
次に、空気調和装置の制御パラメータを変更する場合に、図８に示す制御システムでどのような処理が行われるかにつき、図９のフローチャートに基づいて説明する。
まず、遠隔操作装置３００が熱源機コントローラ５０、及び室内機コントローラ１５０から必要な運転データを伝送線５００を介して取得する（Ｓ７１）。
次に、遠隔操作装置３００から遠隔集中管理装置４００に公衆回線５０２を介して取得した運転データを送信する（Ｓ７２）。
遠隔集中管理装置４００では、遠隔集中管理制御手段４０１が、遠方情報判定手段４０５およびパラメータ選択肢Ｄ／Ｂ４０６を活用して最適な制御パラメータの決定を行う。
【００３３】
次に、遠隔集中管理制御手段４０１は、決定した最適な制御パラメータを対象空気調和装置の識別情報と関連付けて、制御パラメータ記憶手段４０３の内容を書き換え（Ｓ７４）、さらに、制御パラメータはＩ／Ｆ手段４０２から、モデム５０１、公衆回線５０２を介して遠隔操作装置３００に送信される（Ｓ７５）。
遠隔操作装置３００では、Ｉ／Ｆ手段３０３で制御パラメータを受け、パラメータ書換手段３０５を用いて、制御パラメータと対象空気調和装置の識別情報とを関連付けて、制御パラメータ記憶手段３０４の内容を書き換える（Ｓ７６）。
【００３４】
また、遠隔操作装置３００は、伝送線５００を介して熱源機コントローラ５０および室内機コントローラ１５０に制御パラメータを送信し（Ｓ７７）、熱源機コントローラ５０および室内機コントローラ１５０では、パラメータ書換手段５６及びパラメータ書換手段１５６を用いて、制御パラメータ記憶手段５５および１５５の内容を、送信された自分の制御パラメータに書き換える（Ｓ７８）。
【００３５】
次に、図９のＳ７３で行なわれる制御について、図１０のフローチャートに基づいて説明する。
まず、室内側熱交換器配管温度検出手段１０７で検出された検出値（以下、「１０７検出値」と称す）と、熱源側熱交換器配管温度検出手段１０で検出された検出値（以下、「１０検出値」と称す）とから、
ΔＰ５＝室内低圧値−熱源低圧値
＝ｆ｛（１０７検出値）−（１０検出値）｝                …式（７）
を求める（Ｓ８１）。
次に、
ΔＰ５’＝第１の所定比＊ΔＰ５                      …式（８）
を求める（Ｓ８２）。なお、ΔＰ５’は、高圧目標値の緩和量であり、第１の所定比は１０程度が考えられる。
次に、
冷房高圧目標値＝元値−ΔＰ５’
を求める（Ｓ８３）。
次に、吸込み空気温度検出手段１０５および吹出し空気温度検出手段１０６でそれぞれ検出された１０５吸込温度、および１０６吹出温度を用いて、
顕熱比相当値＝（１０５吸込温度−１０６吹出温度）＊風量／ＬＥＶ開度指令値                                                    …式（９）
を求める（Ｓ８４）。（ＬＥＶ開度指令値とは、絞り装置の絞り量調整制御のための制御量である）
次に、
ΔＰ６＝Ｐ６所定値＊顕熱比相当値／第４の所定値      …式（１０）
を求める（Ｓ８５）。なお、Ｐ６所定値は、目標圧力の変化範囲の上限を規定する値であり、０．０２ＭＰａ程度が考えられる。
次に、ドレンポンプ１０４がＯＮ状態であった時間から、
ドレン推定値＝ドレンポンブＯＮ時間／（ドレンポンブＯＮ時間＋ドレンポンプＯＦＦ時間）                                    …式（１１）
を求める（Ｓ８６）。
次に、
ΔＰ７＝Ｐ７所定値＊ドレン推定値／第５の所定値      …式（１２）
を求める（Ｓ８７）。なお、Ｐ７所定値は、目標圧力の変化範囲の上限を規定する値であり、０．０２ＭＰａ程度が考えられる。
【００３６】
次に、外気温度検出手段８で検出された外気温度：ＴｏｕｔがＴ１を超えるか否か、及びＴ２を超えるか否かを判定する（Ｓ８８）。
Ｓ８８で、Ｔｏｕｔ＜Ｔ１であれば、ΔＰ８＝所定値ａとし（Ｓ８９）、Ｔ１≦Ｔｏｕｔ≦Ｔ２であれば、ΔＰ８＝所定値ｂとし（Ｓ９０）、Ｔ２＜ＴｏｕｔであればΔＰ８＝所定値ｃとする（Ｓ９１）。なお、ここでは、所定値ａ＞所定値ｂ＞所定値ｃとなるように設定されている。
【００３７】
Ｓ８９が実行された後、表示手段３０７に、空気調和装置が設置される場所が、日本海側か、内陸か、太平洋側かを問う画面が表示され、使用者は入力手段３０６を用いて、その中の１つを選択し、この情報が遠隔集中管理装置４００に送信される（Ｓ９２）。
Ｓ９２で、日本海側が選択された場合には、推定湿度＝Ａとして（Ｓ９３）、
ΔＰ９＝第２の所定比＊Ａ                                …式（１３）
を求める（Ｓ９４）。
Ｓ９２で、内陸が選択された場合には、推定湿度＝Ｂとして（Ｓ９５）、
ΔＰ９＝第２の所定比＊Ｂ                                …式（１４）
を求める（Ｓ９６）。
Ｓ９２で、太平洋側が選択された場合には、推定湿度＝Ｃとして（Ｓ９６）、ΔＰ９＝第２の所定比＊Ｃ                                …式（１５）
を求める（Ｓ９７）。
【００３８】
同様に、Ｓ９０が実行された後、表示手段３０７に、空気調和装置が設置される場所が、日本海側か、内陸か、太平洋側かを問う画面が表示され、使用者は入力手段３０６を用いて、その中の１つを選択し、この情報が遠隔集中管理装置４００に送信される（Ｓ９９）。
ここで、日本海側が選択された場合には、推定湿度＝Ｄとして（Ｓ１００）、
ΔＰ９＝第２の所定比＊Ｄ                                …式（１６）
を求める（Ｓ１０１）。
Ｓ９９で、内陸が選択された場合には、推定湿度＝Ｅとして（Ｓ１０２）、
ΔＰ９＝第２の所定比＊Ｅ                                …式（１７）
を求める（Ｓ１０３）。
Ｓ９９で、太平洋側が選択された場合には、推定湿度＝Ｆとして（Ｓ１０４）、ΔＰ９＝第２の所定比＊Ｆ                              …式（１８）
を求める（Ｓ１０５）。
【００３９】
同様に、Ｓ９１が実行された後、表示手段３０７に、空気調和装置が設置される場所が、日本海側か、内陸か、太平洋側かを問う画面が表示され、使用者は入力手段３０６を用いて、その中の１つを選択し、この情報が遠隔集中管理装置４００に送信される（Ｓ１０６）。
ここで、日本海側が選択された場合には、推定湿度＝Ｇとして（Ｓ１０７）、
ΔＰ９＝第２の所定比＊Ｇ                                …式（１９）
を求める（Ｓ１０８）。
Ｓ９９で、内陸が選択された場合には、推定湿度＝Ｈとして（Ｓ１０９）、
ΔＰ９＝第２の所定比＊Ｈ                                …式（２０）
を求める（Ｓ１１０）。
Ｓ９９で、太平洋側が選択された場合には、推定湿度＝Ｊとして（Ｓ１１１）、ΔＰ９＝第２の所定比＊Ｊ                              …式（２１）
を求める（Ｓ１１２）。
なお、推定湿度Ａ＝推定湿度Ｄ＝推定湿度Ｇ＞推定湿度Ｂ＝推定湿度Ｅ＝推定湿度Ｈ＞推定湿度Ｃ＝推定湿度Ｆ＝推定湿度Ｊ  の関係がある。
また、推定湿度の数値設定は、統計資料より平均的なものとするのが好ましいが、推定湿度Ａ＝７０％、推定湿度Ｂ＝６０％、推定湿度Ｃ＝５０％程度としても良い。
【００４０】
Ｓ９４、Ｓ９６、Ｓ９８，Ｓ１０１、Ｓ１０３、Ｓ１０５、Ｓ１０８、Ｓ１１０、Ｓ１１２の処理が終了した後は、
冷房目標低圧＝元値＋（第６の所定値−ΔＰ５）＋ΔＰ６＋ΔＰ７＋ΔＰ８＋ΔＰ９                                          …式（２２）
とし（Ｓ１１３）、吸込み空気温度検出手段１０５で検出された１０５室内吸込み温度に基づき、
ΔＰ１０＝第３の所定比＊（第７の所定値−１０５室内吸込み温度）
…式（２３）
とし（Ｓ１１４）、
暖房目標高圧＝元値＋ΔＰ１０                        …式（２４）
とする（Ｓ１１５）。
【００４１】
次に、熱源機側熱交換器配管温度検出手段１０で検出された配管温度（以下、「１０配管温度」と称す）が０℃より高いか否かを判定し（Ｓ１１６）、０℃より高ければ、デフロスト周期をＴａとする（Ｓ１１７）。
また、Ｓ１１６で、０℃以下と判定された場合には、外気温度：ＴｏｕｔがＴ３を超えるか否か、及びＴ４を超えるか否かを判定し（Ｓ１１８）、Ｔｏｕｔ＜Ｔ３の場合はデフロスト周期をＴｂとし（Ｓ１１９）、Ｔ３≦Ｔｏｕｔ≦Ｔ４の場合はデフロスト周期をＴｃとし（Ｓ１２０）、Ｔ４＜Ｔｏｕｔの場合はデフロスト周期をＴｄとし（Ｓ１２１）、その後に処理を終了する。なお、ここでは、Ｔａ＞Ｔｂ＞Ｔｃ＞Ｔｄと設定されており、数値的には、例えば、Ｔａ＝１８０分、Ｔｂ＝１２０分、Ｔｃ＝９０分、Ｔｄ＝６０分程度である。
【００４２】
なお、ここでは遠隔集中管理装置において最適な制御パラメータを決定することとしているが、熱源機コントローラ５０および室内機コントローラ１５０の情報判定手段５７および１５７で、独自の判断で制御パラメータを書き換える構成とすることも当然に可能である。
【００４３】
この実施の形態では、熱源機や室内機で検出した値に基づき、最適な制御パラメータを設定するので、人手をかけることなく、適切な省エネ制御への対応ができる。さらに、実使用環境の変化に対して適宜追従変更して適切な省エネ制御への対応ができる。
また、室内機の冷房能力から冷房負荷の顕熱比を推定し、それに応じて冷房目標低圧を変更することで、低圧上昇により運転効率を向上できる。
また、ドレン水の排水状況からドレン水の発生状況を知り、そこから室内冷房負荷の顕熱比を推定し、それに応じて冷房目標低圧を変更することで、低圧上昇により運転効率を向上できる。
また、外気湿度が室内環境湿度に影響を与えるという想定から外気湿度を用いて、湿度が低いほど除湿能力が不要という判断で冷房目標低圧を上昇することで、運転効率を向上できる。
また、外気温度に応じて絶対湿度に差が出るという想定と地域性の情報から外気温度に応じて外気湿度を推定し、湿度が低いほど冷房目標低圧を上昇することで、運転効率を向上できる。
また、外気温度に応じて絶対湿度に差が出るという想定から外気温度が低いほど冷房目標低圧を上昇することで、運転効率を向上できる。
また、室内吸込み温度により暖房負荷がわかるので、負荷が軽いほど暖房目標高圧を低下することで、入力低減ができ、運転効率が向上できる。
また、外気温度が低い時には絶対湿度も低いので霜付も少ないという判断により、外気温度に応じてデフロスト周期を変更することで、暖房運転効率を向上できる。
また、配管温度が０℃以上では基本的に霜付はないという判断で、配管温度に応じてデフロスト周期を変更することで、暖房運転効率を向上できる。
【００４４】
実施の形態２．
図１１は、実施の形態３の制御システムの構成図であり、デフロスト運転を制御するものである。なお、図１１中、図２と同一の構成、及び相当する構成に関しては符号を同一にし、説明を省略する。
図１１中、遠隔操作装置３００は、遠隔操作制御手段３０１、遠隔操作伝送手段３０２、熱源機台数記憶手段３０６、デフロスト待機操作手段３０７を有している。また、この遠隔操作装置３００には、伝送線５００を介して１号機からｎ号機までの複数の熱源機コントローラ５０が接続されており、この熱源機コントローラ５０は、熱源機制御手段５１、熱源機伝送手段５４、デフロスト待機手段５８を有している。
【００４５】
次に、図１１の制御システムでの、暖房運転時のデフロスト運転制御の動作を図１２のフローチャートに基づいて説明する。
なお、ここでは、遠隔操作装置３００の動作と、熱源機コントローラ５０の動作とを分けて説明する。
まず、遠隔操作装置３００のデフロスト待機操作手段３０７では、室外機号機に対応するｉ＝１に設定し（Ｓ１３０）、ｉ号機のデフロスト運転を待機状態とする（具体的には熱源機にデフロスト待機情報を送信し、熱源機のデフロスト待機手段５８にあるデフロフト待機フラグをＯＮにする）。
次に、ｉ＝ｉ＋１とし（Ｓ１３２）、熱源機台数記憶手段３０６に記憶された台数ｎに基づき、ｉ＝ｎ＋１かどうかを判定する（Ｓ１３３）。
Ｓ１３３で、ｉがｎ＋１でないと判定された場合には、再度Ｓ１３１以降を実行する。
また、Ｓ１３３で、ｉがｎ＋１の場合（この時、全ての熱源機でデフロフト待機フラグはＯＮになっている）、再びｉ＝１とし（Ｓ１３４）、ｉ号機のデフロスト待機を解除して、デフロスト許可状態とする（具体的には熱源機にデフロスト待機解除情報を送信し、熱源機のデフロスト待機手段５８にあるデフロスト待機フラグをＯＦＦにする）（Ｓ１３５）。
次に、所定時間経過するのを待ち（Ｓ１３６）、ｉ＝ｉ＋１とした（Ｓ１３７）後に、ｉ＝ｎ＋１かどうかを判定する（Ｓ１３８）。
Ｓ１３８で、ｉ＝ｎ＋１であると判定された場合には、ｎ号機をデフロスト待機状態とし（Ｓ１３９）、再度、Ｓ１３４以降を実行する。
また、Ｓ１３８で、ｉ＝ｎ＋１でないと判定された場合には、ｉ−１号機をデフロスト待機状態とし（Ｓ１４０）、再度、Ｓ１３５以降を実行する。
【００４６】
次に、熱源機コントローラ５０の動作について、説明する。
まず、デフロスト待機手段５８のデフロスト可能フラグがＯＮであるか否かを判定し（Ｓ１５１）、ＯＮになっていなければ、デフロストの開始条件が整っているかどうかを判定する（Ｓ１５２）。
Ｓ１５２で、デフロストの開始条件が整っていると判定された場合には、デフロスト可能フラグをＯＮに設定する（Ｓ１５３）。
次に、デフロスト待機手段５８のデフロスト待機フラグがＯＮか否かを判定し（Ｓ１５４）、ＯＮでないと判定された場合には、デフロスト運転を実行する（Ｓ１５５）。なお、ＯＮであると判定された場合には、通常の運転を実行する（Ｓ１５６）。
【００４７】
また、Ｓ１５４で、デフロスト運転を実行した場合には、デフロストの終了条件が整っているかどうかを判定し（Ｓ１５７）、終了条件が整っていると判定された場合には、デフロスト可能フラグをＯＦＦにし（Ｓ１５８）、一定時間待ち（Ｓ１５９）、その後に、再びＳ１５１以降を実行する。
なお、Ｓ１５７で、終了条件が整っていないと判定された場合にも、Ｓ１５９に進む。
【００４８】
このような構成することにより、各熱源機のデフロスト運転の時間をずらすことができ、省エネ運転を実施する上で背景となる快適性の確保の面で、室内環境へのデフロストの影響を緩和するという形で効果を奏する。
【００４９】
実施の形態３．
図１３は、実施の形態４における制御システムでの動作を示すフローチャートであり、遠隔集中管理装置４００が最適な制御パラメータを作成する場合に、各遠隔操作装置３００毎に課金を行なわせるようにしたものである。
図１３において、遠隔操作装置３００から遠隔集中管理装置４００へ、制御パラメータの作成を依頼する旨のアクセス要求が出される（Ｓ１６１）。
遠隔集中管理装置４００では、このアクセス要求を受信した後、遠隔操作装置３００に対して、課金に対し承諾するか否かの問い合わせを行なう（Ｓ１６２）。Ｓ１６２で、遠隔操作装置３００が課金に応じるとの返信を一定時間内に遠隔集中管理装置４００にした場合には、以降、図３に示すように、遠隔操作装置３００から送信された情報に基づく最適な制御パラメータの生成を行なう（Ｓ１６３）。また、一定時間内に返信がない場合、及び課金に応じないとの返信があった場合には、処理を終了させ、遠隔操作装置３００から設定条件情報が送信されても、制御パラメータの生成処理を実行しない。
【００５０】
このようにすることにより、ユーザーに対し省エネメリットを提供することに対し、空気調和装置およびそのシステムの提供者（メーカー）に対して相応のペイバックを実施することで、ユーザーとメーカーがともに満足を得ることができる。
【００５１】
【発明の効果】
このように、この発明の空気調和機の制御システムによれば、圧縮機及び熱源側熱交換器を備えた熱源機、この熱源機を制御する熱源機コントローラ、絞り装置及び利用側熱交換器を備えた室内機、並びに、この室内機を制御する室内機コントローラを備えた空気調和機と、空気調和機と伝送線を介して接続され空気調和機の動作を制御する遠隔操作装置と、空気調和機の据付後に空気調和機の配管長、又は熱源機と室内機との上下関係を示す設定条件情報が入力され、設定条件情報を遠隔操作装置へ出力する入力手段と、空気調和機及び遠隔操作装置が設置された現地から公衆回線を介して隔てられた位置に設けられ、遠隔操作装置に公衆回線を介して接続された遠隔集中管理装置とを備え、遠隔集中管理装置は、遠隔操作装置から受信した設定条件情報に基づいて空気調和機が省エネルギー運転となるように制御パラメータを決定する制御パラメータ決定手段、及び決定した制御パラメータを公衆回線を介して遠隔操作装置に伝送する遠隔操作伝送手段を備え、遠隔操作装置は、遠隔集中管理装置から送信された制御パラメータを公衆回線を介して受信し、受信した制御パラメータを伝送線により接続された空気調和機に設定するため、設置条件に応じて、制御パラメータをより最適なものに設定することができ、省エネを図ることができると共に、より快適な使用環境を維持することができる。
【００５２】
また、この発明の遠隔集中管理装置によれば、熱源機、この熱源機を制御する熱源機コントローラ、室内機、及びこの室内機を制御する室内機コントローラを備えた複数の空気調和機、並びに空気調和機と伝送線を介して接続され空気調和機の動作を制御する複数の遠隔操作装置、を備えた制御システムを公衆回線を介して遠隔管理する遠隔集中管理装置であって、空気調和機の配管長、又は熱源機と室内機との上下関係を示す設定条件情報を受信するインタフェース手段と、このインタフェース手段が受信した設定条件情報に基づいて空気調和機が省エネルギー運転となるように空気調和機の制御パラメータを決定し、決定した制御パラメータを遠隔操作装置を介して空気調和機へ送信する制御パラメータ決定手段と、を備えたため、遠隔から現地に適合した省エネ制御を行うことができる。
【００５３】
また、この発明の制御システムの制御方法によれば、熱源機、この熱源機を制御する熱源機コントローラ、室内機、及びこの室内機を制御する室内機コントローラを備えた空気調和機、空気調和機の動作を制御する遠隔操作装置、並びに遠隔操作装置と接続された遠隔集中管理装置、を備えた制御システムの制御方法において、遠隔操作装置に接続された入力手段が空気調和機の配管長、又は熱源機と室内機との上下関係を示す設定条件情報の入力を受け付けるステップと、遠隔操作装置が回線を介して遠隔集中管理装置へ、設定条件情報を送信するステップと、遠隔集中管理装置が、設定条件情報に基づいて空気調和機が省エネルギー運転となるように空気調和機の制御パラメータを決定し、回線を介して決定した制御パラメータを遠隔操作装置へ返送するステップと、空気調和機が遠隔操作装置から制御パラメータを受信し、受信した制御パラメータで熱源機コントローラの制御パラメータ記憶手段の内容を書き換えるステップと、を備えたため、遠隔から現地に適合した省エネ制御を行うことができる。
【００５４】
【図面の簡単な説明】
【図１】  実施の形態１における空気調和装置の冷媒回路図である。
【図２】  実施の形態１における制御システムの構成図である。
【図３】  実施の形態１における制御システムのフローチャートである。
【図４】  実施の形態１における制御システムのフローチャートである。
【図５】  実施の形態１における制御システムのフローチャートである。
【図６】  実施の形態１における制御システムのフローチャートである。
【図７】  実施の形態２における空気調和装置の冷媒回路図である。
【図８】  実施の形態２における制御システムの構成図である。
【図９】  実施の形態２における制御システムのフローチャートである。
【図１０】  実施の形態２における制御システムのフローチャートである。
【図１１】  実施の形態３における制御システムの構成図である。
【図１２】  実施の形態３における制御システムのフローチャートである。
【図１３】  実施の形態４における制御システムのフローチャートである。
【符号の説明】
１  圧縮機、  ２  四方弁、  ３  熱源側熱交換器、
４  熱源側熱交換器送風ファン、  ５  圧縮機出力高圧圧力検出装置、
６  圧縮機入力低圧圧力検出装置、  ７  熱源機、
８  外気温度検出手段、  ９  外気湿度検出手段、
１０  熱源側熱交換器配管温度検出手段、
５０  熱源機コントローラ、  ５１  熱源機制御手段、
５２  熱源機センサ入力手段、  ５３  熱源機アクチュエータ出力手段、
５４  熱源機伝送手段、  ５５  制御パラメータ記憶手段、
５６  制御パラメータ書換手段、  ５７  情報判定手段、
５８  デフロスト待機手段、
１００  膨張弁、  １０１  室内側熱交換器、
１０２  室内側熱交換器送風ファン、  １０３  室内機、
１０４  ドレンポンプ、  １０５  吸込み空気温度検出手段、
１０６  吹出し空気温度検出手段、
１０７  室内側熱交換器配管温度検出手段、
１５０  室内機コントローラ、  １５１  室内機制御手段、
１５２  室内機センサ入力手段、  １５３  室内機アクチュエータ出力手段、
１５４  室内機伝送手段、  １５５  制御パラメータ記憶手段、
１５６  パラメータ書換手段、  １５７  情報判定手段、
２０１  第１の配管、  ２０２  第２の配管、
３００  遠隔操作装置、  ３０１  遠隔操作制御手段、
３０２  遠隔操作伝送手段、  ３０３  Ｉ／Ｆ手段、
３０４  制御パラメータ記憶手段、  ３０５  制御パラメータ書換手段、
３０６  熱源機台数記憶手段、  ３０７  デフロスト待機操作手段、
４００  遠隔集中管理装置、  ４０１  遠隔集中管理制御手段、
４０２  Ｉ／Ｆ手段、  ４０３  制御パラメータ記憶手段、
４０４  パラメータ書換手段、  ４０５  遠隔情報判定手段、
４０６  パラメータ選択肢Ｄ／Ｂ、
５００  伝送線、  ５０１  公衆回線接続装置、  ５０２  公衆回線。
【図１】
0004106941.tif 000002
【図２】
0004106941.tif 000003
【図３】
0004106941.tif 000004
【図４】
0004106941.tif 000005
【図５】
0004106941.tif 000006
【図６】
0004106941.tif 000007
【図７】
0004106941.tif 000008
【図８】
0004106941.tif 000009
【図９】
0004106941.tif 000010
【図１０】
0004106941.tif 000011
【図１１】
0004106941.tif 000012
【図１２】
0004106941.tif 000013
【図１３】
0004106941.tif 000014